(57)【特許請求の範囲】
【請求項１】
医療用診断装置から入力される画像データの格納を指示すると共に、画像駒数を少なくとも含む出力フォーマットを指定するための操作手段と、
該操作手段による前記医療用診断装置からの画像データの格納指示毎に画像データを格納する記憶手段と、
前記操作手段の操作により指定された出力フォーマットの画像駒数と前記記憶手段に格納される画像データのサイズとに基づいて、前記画像駒数分の画像データの記憶容量を予め演算する駒数分容量演算手段と、
前記記憶手段に記憶された画像データの容量の累計と、前記駒数分容量演算手段で予め演算された前記画像駒数分の画像データの記憶容量とを比較し、前記容量の累計と前記画像駒数分の画像データの記憶容量とが一致したときに、前記記憶手段に格納された前記画像駒数分の画像データと前記出力フォーマットを示す出力フォーマット指定信号とを出力する画像データ出力手段と、
を含んで構成されたことを特徴とする画像データ出力制御装置。
【請求項２】
前記駒数分容量演算手段が、前記出力フォーマットで指定された画像駒数の１駒目として格納された画像データのサイズに基づいて、前記画像駒数分の画像データの記憶容量を予め演算することを特徴とする請求項１記載の画像データ出力制御装置。
【請求項３】
操作手段の操作によって、医療用診断装置から入力される画像データを出力する、画像駒数を少なくとも含む出力フォーマットを指定させると共に、前記操作手段による前記医療用診断装置からの画像データの格納指示毎に、画像データを記憶手段に格納する一方、前記出力フォーマットの画像駒数と前記記憶手段に格納される画像データのサイズとに基づいて、前記画像駒数分の画像データの記憶容量を予め演算し、前記記憶手段に記憶された画像データの容量の累計と、前記予め演算された画像駒数分の画像データの記憶容量とが一致したときに、前記記憶手段に格納された前記画像駒数分の画像データと前記出力フォーマットを示す出力フォーマット指定信号とを出力することを特徴とする画像データ出力制御方法。
【請求項４】
前記出力フォーマットで指定された画像駒数の１駒目として格納された画像データのサイズに基づいて、前記画像駒数分の画像データの記憶容量を予め演算することを特徴とする請求項３記載の画像データ出力制御方法。
【発明の詳細な説明】
【０００１】
【発明の属する技術分野】
本発明は画像データ出力制御装置及び画像データ出力制御方法に関し、特に、画像データの格納指示を受けて入力画像データを格納し、指定された出力フォーマットによる画像駒数分の画像データを出力フォーマット指定信号と共に出力する画像データ出力制御装置及び方法に関する。
【０００２】
【従来の技術】
従来から、画像データ発生装置、例えばＸ線ＣＴ，ＭＲＩ，ＤＲ等の医療用画像診断装置によって撮影され得られた画像データを、レーザーイメージャによってフィルムに記録したり、また、診断用のモニタリング装置（ＣＲＴ等）に表示したりして可視化し、診断に用いることが行われている。
【０００３】
ところで、前述のような医療用画像診断装置によって発生された複数の画像データを可視化するときに、１枚のフィルム上に複数駒を並べて記録させたり、また、同一画面上に複数駒を並べて表示させる場合があり（図８参照）、そのために、前記医療用画像診断装置によって発生された複数の画像データを入力して一時的に記憶媒体に格納し、これら複数の画像データと、複数の画像駒の可視表示媒体（フィルム，ＣＲＴ等）上の配置を示す出力フォーマットを指定する出力フォーマット指定信号とを出力する画像データ出力制御装置が知られている。
【０００４】
この種の画像データ出力制御装置では、マニュアル操作によって複数の画像データを任意のタイミングで前記出力フォーマット指定信号と共に出力させることができると共に、出力フォーマットにより指定される駒数分だけの画像データが記憶されたときに、自動的に複数の画像データを出力する機能を有するものがあった。
【０００５】
具体的には、操作，表示部と、実際に画像データの格納を行う処理部とが通信回線で結ばれるようにし、操作，表示部におけるストアキーの操作に伴って前記処理部に格納指令を送信すると、前記処理部において画像データの格納が実行されると共に、画像データが実際に格納されたことを示す信号が前記処理部から操作，表示部側に返送され、操作，表示部において画像駒の格納数がカウントされると共に、画像データを格納したことを示す表示が行われる。かかる処理を繰り返して画像データが順次格納され、前記自動出力を行わせる場合には、前記操作，表示部における画像駒の格納数のカウント結果に基づいて、指定された画像駒の画像データが全て格納されたことを確認すると、前記操作，表示部から出力指令を前記処理部に送信して、画像データの出力を行わせるようになっていた。
【０００６】
【発明が解決しようとする課題】
ところで、前記自動出力において、上記のように操作，表示部と処理部との間で通信のやり取りを行って最終的に画像データが出力される構成であると、最後の駒に相当する画像データが格納されてから実際に駒数分の画像データが出力されるまでに前記通信に要する分だけ時間がかかり、処理スピードが遅くなってしまうという問題があった。
【０００７】
本発明は上記問題点に鑑みなされたものであり、出力フォーマットで指定された画像駒数の画像データが全て格納されたときに自動的に画像データを出力させる制御の処理スピードを向上させることができる画像データ出力制御装置及び方法を提供することを目的とする。
【０００８】
【課題を解決するための手段】
そのため請求項１記載の発明にかかる画像データ出力制御装置は、医療用診断装置から入力される画像データの格納を指示すると共に、画像駒数を少なくとも含む出力フォーマットを指定するための操作手段と、該操作手段による前記医療用診断装置からの画像データの格納指示毎に画像データを格納する記憶手段と、前記操作手段の操作により指定された出力フォーマットの画像駒数と前記記憶手段に格納される画像データのサイズとに基づいて、前記画像駒数分の画像データの記憶容量を予め演算する駒数分容量演算手段と、前記記憶手段に記憶された画像データの容量の累計と、前記駒数分容量演算手段で予め演算された前記画像駒数分の画像データの記憶容量とを比較し、前記容量の累計と前記画像駒数分の画像データの記憶容量とが一致したときに、前記記憶手段に格納された前記画像駒数分の画像データと前記出力フォーマットを示す出力フォーマット指定信号とを出力する画像データ出力手段と、を含んで構成される。
【０００９】
かかる構成によると、出力フォーマットで指定される画像駒数分の画像データを記憶するのに要する記憶容量を予め演算する一方、操作手段による格納指示毎に画像データを格納するときに、格納した画像データの容量を順次累計し、該累計容量が前記画像駒数分の記憶容量に達したときに、医療用診断装置からの画像データを出力フォーマット指定信号と共に出力する。
【００１０】
請求項２記載の発明では、請求項１記載の画像データ出力制御装置において、前記駒数分容量演算手段が、前記出力フォーマットで指定された画像駒数の１駒目として格納された画像データのサイズに基づいて、前記画像駒数分の画像データの記憶容量を予め演算する構成とした。かかる構成によると、操作手段による画像データの格納指示に基づいて１駒目の画像データが格納されると、例えば画像データの付帯情報として記憶されている画像サイズの情報から１駒目の画像データのサイズを検知し、その後に医療用診断装置から入力される画像データは同じサイズであると見做し、指定された画像駒数分の画像データを記憶するのに要する記憶容量を予め演算する。
【００１１】
請求項３記載の発明にかかる画像データ出力制御方法は、操作手段の操作によって、医療用診断装置から入力される画像データを出力する、画像駒数を少なくとも含む出力フォーマットを指定させると共に、前記操作手段による前記医療用診断装置からの画像データの格納指示毎に、画像データを記憶手段に格納する一方、前記出力フォーマットの画像駒数と前記記憶手段に格納される画像データのサイズとに基づいて、前記画像駒数分の画像データの記憶容量を予め演算し、前記記憶手段に記憶された画像データの容量の累計と、前記予め演算された画像駒数分の画像データの記憶容量とが一致したときに、前記記憶手段に格納された前記画像駒数分の画像データと前記出力フォーマットを示す出力フォーマット指定信号とを出力する構成とした。
【００１２】
かかる構成によると、請求項１記載の画像データ出力制御装置と同様に、格納した画像データの容量が順次累計され、該累計容量が画像駒数分の記憶容量に達したときに、画像データが出力フォーマット指定信号と共に出力される。請求項４記載の発明では、請求項３記載の画像データ出力制御方法において、前記出力フォーマットで指定された画像駒数の１駒目として格納された画像データのサイズに基づいて、前記画像駒数分の画像データの記憶容量を予め演算する構成とした。
【００１３】
かかる構成によると、請求項２記載の画像データ出力制御装置と同様に、１駒目に格納した画像データのサイズを基準としてその後に格納される画像駒数分の画像データの記憶容量が予め演算される。
【００１４】
【発明の効果】
請求項１又は請求項３記載の発明によると、実際に格納した画像データの容量の累計が、出力フォーマットで指定された画像駒数分の記憶容量に達したときに、格納した画像データを出力フォーマット指定信号と共に出力させる構成としたので、通信のやり取りを行って画像駒数のカウントを行う構成であっても、前記カウント結果を用いずに、即ち、前記通信のやり取りを待たずに医療用診断装置からの画像データを自動出力させることが可能となり、処理スピードを向上させることが可能となる。
【００１５】
請求項２又は請求項４記載の発明によると、１駒目として格納された画像データのサイズから、出力フォーマットで指定された画像駒数分の画像データを記憶するのに要する記憶容量を予め簡便に演算できる。
【００１６】
【発明の実施の形態】
以下に、本発明の実施の形態を、添付の図面に基づいて説明する。尚、本発明の実施の形態は、以下に示すものに限定されず、特に、以下では医療診断用の画像データを処理対象とする装置を示すが、画像データを医療診断用画像に限定するものではない。
【００１７】
図１は、医療用画像診断装置１と、本発明にかかる画像データ出力制御装置に相当するプリント制御装置10と、レーザーイメージャ３からなるシステムの全体構成図である。
前記医療用画像診断装置１は、例えばＸ線ＣＴ，ＭＲＩ等などの患者の身体内部の状態を描出する装置であって、前記描出された診断画像を画像データとして出力するものである。
【００１８】
そして、前記医療用画像診断装置１から出力される診断画像データは、アナログ又はディジタルの信号として前記プリント制御装置10に入力される。
前記プリント制御装置10は、入力部21，記憶部22，出力部23，制御部24からなる処理部２及び操作・表示部４を有してなり、前記医療用画像診断装置１から順次入力した複数駒分の診断画像データを一時的に記憶し、該記憶した複数駒分の診断画像データを、出力フォーマット指定信号及び位置対応信号と共にレーザーイメージャ３に出力する。
【００１９】
前記出力フォーマット指定信号とは、可視表示媒体（本実施の形態ではフィルム）上での複数画像の配置、即ち、複数画像を１枚のフィルム上に並べて記録するときのフィルム上での配置（出力フォーマット）を指定する信号であり、前記出力フォーマットは、前記操作・表示部４の操作によって任意に指定できるようになっている。また、前記位置対応信号は、記憶した複数の診断画像が、前記指定された配置上でどの位置にそれぞれ対応して記憶されたかを示す信号である。
【００２０】
ここで、上記のプリント制御装置10の各部の詳細を説明する。
前記入力部21は、操作・表示部４からの画像データの格納指示に基づき制御部24から出力される画像データ入力指示信号を受けると、医療用画像診断装置１から出力された診断画像データを入力し、該診断画像データを記憶部22へ送信する。
【００２１】
前記記憶部22（記憶手段）は、複数の画像データを記憶する容量を有する記憶媒体を備えており、入力部21から送信された画像データを格納する。また、記憶部22は、操作・表示部４からのレーザーイメージャ３への画像データの送信指示に基づき制御部24から出力される画像データ送信指示信号を受けると、記憶している複数の画像データを出力部23へ送信する。
【００２２】
上記の記憶媒体は、入力部21から送信された複数の画像データを出力部23へ送るために複数の画像データを一時的に記憶し、送信後は画像データが消去されるようなものであっても良いし、入力部21から送信された複数の画像データをその記憶容量の範囲内で記憶するものであっても良い。具体的には、ハードディスクなどの記憶媒体の他、半導体メモリを用いる構成であっても良い。
【００２３】
前記出力部23は、記録部22から送信された複数の画像データをレーザーイメージャ３へ送信する。
制御部24は、前述のように、操作・表示部４からの格納指示や出力指示などに基づいて画像データ入力指示信号，画像データ出力指示信号などを入力部21，記憶部22に送信して制御すると共に、前記出力部23からの画像データの送信に同期して、前記出力フォーマット指定信号及び位置対応信号をレーザーイメージャ３へ送信すべく出力部23を制御する。
【００２４】
操作・表示部４（操作手段）の詳細は後述する。
前記レーザーイメージャ３は、プリント制御装置10から送信される複数の画像データ，出力フォーマット指定信号，位置対応信号に基づき、出力フォーマットに従った複数駒の配置に従って各診断画像データを展開し、該展開後の画像データに基づくフィルムへの露光によって、前記フィルム上に複数駒の診断画像を記録するものである。
【００２５】
尚、本実施の形態では、可視表示媒体として現像処理を必要とするフィルムを用いる構成としたが、熱溶融や熱昇華で画像を形成するタイプのフィルムや、インクジェット用のペーパーその他様々なタイプのハードコピーの画像記録媒体を用いることができ、また、ＣＲＴや液晶等の電子表示モニターを用いても良い。
図２は、前記レーザーイメージャ３の構成を示す模式図である。
【００２６】
前記レーザーイメージャ３は、画像データの入力，記憶，処理を行う入力部31，記憶部32，再生部33の他、フィルムへの露光を行う露光部34、装置全体を制御する制御部35を有してなり、また、未露光のフィルムＦの供給を行う未露光のフィルム供給部36、露光部34で露光が行われた露光済のフィルムＦが収容されるレシーブマガジン381 が装填されるレシーブマガジン装填部38を備えている。
【００２７】
前記入力部31は、プリント制御装置10から送信された複数の画像データを入力し、この複数の画像データを記憶部32へ送る。
前記記憶部32には、複数の画像データを記憶する容量を有する記憶媒体（ハードディスクや半導体メモリ等）が設けられており、入力部31から送られてくる画像データを記憶する。
【００２８】
前記制御部35は、プリント制御装置10から複数の画像データと同期して送信された出力フォーマット指定信号と位置対応信号とを受け、記憶部32に記憶されている複数の画像データを再生部33へ送らせ、それと同期して前記出力フォーマット指定信号と位置対応信号とを再生部33へ送信する。
複数の画像データ，出力フォーマット指定信号及び位置対応信号とを受けた再生部33は、前記出力フォーマット指定信号及び位置対応信号に基づいて各診断画像データを展開し、フィルム露光に用いる複数駒分の診断画像を含む画像データを再生する。
【００２９】
このとき、サプライマガジン361 に収納されている未露光のフィルムＦのサイズ及び／又は種類を検出するセンサ（図示せず）からの検出信号が制御部35を経由して再生部33に送られているので、複数の画像データはこの検出信号をも加味した上で展開される。
そして、前記再生部33で再生された再生データは露光部34に送られ、露光部34に備えられたレーザ発生装置341 では前記再生データに基づいてレーザ光を変調して出力する。前記出力されたレーザ光は、ミラー3421やレンズ3422等からなる光学系342 を介して未露光のフィルム供給部36から供給された未露光フィルムＦに露光位置343 で露光される。
【００３０】
露光の済んだフィルムＦは、レシーブマガジン装填部38のレシーブマガジン381 に一旦収納される。そして、レシーブマガジン381 に収容された露光済のフィルムＦは、レシーブマガジン381 からレーザーイメージャ３に接続されたフィルム自動現像機５に搬送され、ここで、自動現像されて取り出し口51に送り出される。
【００３１】
尚、レーザーイメージャ３に対してフィルム自動現像機５が接続されない構成であっても良く、この場合には、レーザーイメージャ３から前記レシーブマガジン381 を取り外し、該取り外したレシーブマガジン381 をフィルム自動現像機にセットして自動現像を行わせることになる。
図３は、操作・表示部４の外観を示す模式図である。
【００３２】
前記操作・表示部４には、ストアキー41，プリントキー42，カーソルキー43などの操作用キーが備えられると共に、タッチスクリーンからなる情報表示及び操作用のモニター44が設けられている。
そして、前記操作・表示部４の操作による各種の指示信号が制御部24に対して送られるようになっており、前記ストアキー41を押圧すると、医療用画像診断装置１からの画像データの取り込みを指示する信号が制御部24に送られ、前記プリントキー42を押圧することにより、記憶部22に記憶されている複数の画像データのプリント制御装置10からの出力を指示する信号が制御部24に送られ、また、制御部24から送信される各種の情報（画像データの格納情報等）が前記モニター44に表示される。
【００３３】
尚、カーソルキー43及びモニター44の操作については後述する。
前記表示・操作部４は、プリント制御装置10の本体と別体に構成しても、また、一体に構成しても良いが、例えば本体とケーブルを介して接続される別体構成とすることで、配置の自由度が増し操作性が向上する。また、プリント制御装置10とレーザーイメージャ３とを一体的に構成しても良く、一体化によって設置スペースを縮小できる。
【００３４】
前記タッチスクリーンで構成されるモニター44を操作手段として使用する際には、操作キーがモニター44上に表示され、該モニター44上の操作キーをタッチすることで各種の指示設定が行えるようになっており、前記モニター44に表示される情報表示・操作画面としては、医療用画像診断装置１から画像データを取り込むストア操作及び複数の画像データをプリント制御装置10から出力するプリント操作を行う通常画面と、出力フォーマットを設定するための出力フォーマット設定画面等がある。
【００３５】
図４は前記通常画面を示す。この図４において、出力フォーマット441 は、フィルム等の可視表示媒体上に複数駒の画像がどのように配置されて可視化されるかを、各駒の表示位置を四角の枠で示して表すものであり、図４に示す場合は、12駒の画像が横３列縦４段に表示されることを示し、四角の枠表示からなる各駒位置表示4412内には１〜12の駒番号が表示される。
【００３６】
前記出力フォーマットは、図６に示すようにいくつかのパターンが予めプリント制御装置10の制御部24に設定されており、該複数のパターンの中から選択されたパターンがモニター44上に表示される。
図４に示すフォーマットキー442 を押すと、モニター44の画面が図５に示すような出力フォーマット設定画面に切り換わり、図５に示す場合には、２×３駒，２×４駒，３×３駒，３×４駒（図４のパターン），３×５駒，４×４駒の６パターンの中から任意に出力フォーマットを選択できる。
【００３７】
前記出力フォーマットは、四角の枠で囲まれた中に横駒数×縦駒数を示すＸ×Ｙとして表示され、図５では左端から２×３駒，２×４駒，３×３駒，３×４駒，３×５駒，４×４駒の順に並べて表示されており、選択されているパターンは黒ベタで示される。選択パターンの切り換えは、左右の選択キー444A, 444Bで行え、例えば図５に示す３×４駒のパターンから３×３駒のパターンに切り換える場合には、図５で左方向への選択位置の移動を指示する選択キー444Aを押すと、選択が３×３駒のパターンに切り換わり、前記３×４駒の表示部分が白抜きに切り換わると共に、３×３駒の表示部分が黒ベタに切り換わる。逆に、３×４駒のパターンから３×５駒のパターンに切り換える場合には、選択キー444Bを押せば良い。
【００３８】
そして、出力パターンの選択が終了したときに、ＯＫキー447 を押せば、選択が確定したことになり、前記図４の通常画面に戻る。また、キャンセルキー448 を押すと、変更前の出力フォーマットの選択状態に戻るようになっている。
また、図４の前記駒位置表示4412は、画像データの格納が行われていない状態では、白抜きに表示されるが、実際に画像データが格納されたことを示す信号が制御部24から送信されると、黒ベタに表示が切り換わり、その駒位置表示4412に対応すべき画像データが既にプリント制御装置10に格納されていることを表示する。図４に示す場合には、駒番号１，２の位置に対応して表示されるべき２つの画像データがプリント制御装置10に既に格納されていることになる。
【００３９】
カーソル4411は、次に格納される画像データが配置される駒位置を示すものであり、図４の場合には、駒番号３の位置に次の画像データが配設されることを示す。そして、この状態でストアキー41を押圧すると、前記駒番号３の位置に対応する画像データとして、医療用画像診断装置１から診断画像データがプリント制御装置10の記憶部22に記憶され、画像データが記憶されるとその情報が制御部24を介して表示・操作部４に送信されて画像データの記憶駒数がカウントされ、該カウント結果に基づいて前記駒番号３の駒位置表示4412が黒ベタに切り換わると共に、カーソル4411が次の駒番号４の駒位置表示4412の部分に自動的に移動する。
【００４０】
このとき、制御部24は、３の番号が付された駒位置表示4412に対応して画像データが記憶されたことを記憶する。出力フォーマット441 上の駒位置表示4412と駒画像のフィルムＦ上での位置とは前述のように対応しているから、制御部24は、出力フォーマット中のどの位置に対応して画像データが記憶されたかを順次記憶することになり、この記憶データを基に位置対応信号を形成する。
【００４１】
このような動作がストアキー41の押圧毎に繰り返されことで、出力フォーマットで指定した画像駒数の画像データが順次取り込まれることになる。
尚、プリント制御装置１の起動時や、プリント制御装置10から複数の画像データと出力フォーマット指定信号と位置対応信号とが出力された後で、ストアキー41が押されていない状態では、カーソル4411は１の番号が付された駒位置表示4412に表示される。
【００４２】
このように、カーソル4411がある番号の駒位置表示4412にあると、プリント制御装置10の記憶部22への画像データの記憶毎にその番号の次に大きな番号の駒位置表示4412に順次移動し、最終的には、12の番号が付された駒位置表示4412にカーソル4411が移動する。但し、出力フォーマットで指定された駒数（図４における12駒）分だけ画像データを記憶する前に、プリントキー42が押されると、その時点で画像データの取り込みを中断し、それまでに記憶された画像データのみをレーザーイメージャ３に出力する。
【００４３】
また、カーソル4411は、図３に示したカーソルキー43を操作することにより任意の駒位置表示4412に移動させることができ、例えば図４で３の番号が付された駒位置表示4412にあるカーソル4411を、５の番号が付された駒位置表示4412に移動させることもできる。この場合、５の番号が付された駒位置表示4412での画像データの記憶が行われると、カーソル4411は次の６の番号が付された駒位置表示4412に自動的に移動する。
【００４４】
ところで、前述のように、出力フォーマットの駒数分だけ画像データを記憶する前にプリントキー42を押せば、それまでに記憶していた画像データが出力フォーマット指定信号，位置対応信号と共にレーザーイメージャ３に出力されるようになっているが、通常は、出力フォーマットの駒数分だけ画像データが記憶されてからレーザーイメージャ３への画像データの出力を行うので、出力フォーマットの駒数分だけ画像データが記憶された場合には、プリントキー42を押さなくても、自動的に画像データの出力が行われるオートプリントモードが設定されている。
【００４５】
前記オートプリントモードによる画像データ等の出力タイミングを、図７のフローチャートを用いて説明する。前記図７のフローチャートに示される処理は、プリント制御装置10の制御部24で実施される。
まず、（Ｓ１）では各種のキー操作入力を受け付け、（Ｓ２）では出力フォーマットが設定済であるか否かを判別する。出力フォーマットの設定が済んでいない場合には、（Ｓ３）で出力フォーマットの設定を待って該出力フォーマットで指定された画像駒数を記憶する。
【００４６】
出力フォーマットが設定されると、（Ｓ４）でストアキー41が押圧操作されたか否かを判別し、ストアキー41が押圧操作されると、（Ｓ５）で出力フォーマットで指定された駒数分の画像データを記憶するための容量の演算が終了しているか否かを判別する。
前記容量の演算は、同一フィルム上に記録する診断画像のうちの最初（１駒目）の画像データが入力されたときに、該最初の画像データの画像サイズ（容量）を求め、この１つの画像データ当たりの容量に出力フォーマットで指定された駒数を乗算することで求められる。例えば、最初に入力された画像データの容量が１ｋ×１ｋ＝１MBであり、出力フォーマットが12駒（３×４駒）であったときには、その後に入力される画像データは一般に１駒目と同じサイズであるから、12駒分の画像データを記憶するためには、１MB×12駒＝12MBの容量が必要となる。
【００４７】
従って、ストアキー41の押圧操作に伴って、医療用画像診断装置１からの画像データを入力するときに、その画像データが１駒目であったときに、前記容量の演算が済んでいないとして（Ｓ６）で、前述のようにして出力フォーマットで指定された駒数分の画像データを記憶するための容量を演算する。前記Ｓ６における処理機能が駒数分容量演算手段に相当する。
【００４８】
尚、１つの画像データのサイズ（記憶容量）は、画像データの付帯情報（ヘッダ情報）として画像データと共にプリンタ制御装置10に入力されるようになっているので、前記付帯情報部分に記録されているサイズを読み取れば良い。
ストアキー41の押圧操作に伴う画像データの入力・記憶が、２駒目以降である場合には、１駒目の入力時に前記容量の演算が終了しているので、（Ｓ５）から（Ｓ７）へ進み、それまでに入力された画像データの容量の累計に、最新に入力された画像データ分の容量を加算して、画像データ容量の累計を更新する。
【００４９】
そして、（Ｓ８）では、実際に記憶された画像データの容量の累計と、前記出力フォーマットに従った駒数分の容量とを比較し、記憶した画像データの容量の累計が出力フォーマットの駒数分の容量に一致したときには、（Ｓ９）で、それまでに記憶した画像データ、即ち、同一フィルム上に出力フォーマットに従って並べて記録されることになる指定駒数分の画像データをレーザーイメージャ３に出力フォーマット指定信号，位置対応信号と共に出力する。上記のＳ７〜Ｓ９の処理機能が、画像データ出力手段に相当する。
【００５０】
かかる構成によれば、最後の駒に対応する画像データが記憶されてから実際に画像データが出力されるまでの時間を短縮でき、処理スピードを向上させることができる。
即ち、画像データを格納したことを制御部24が操作・表示部４に送信し、該送信結果に基づいて操作・表示部４が当該画像データが最後の駒に相当する画像データであることを駒数のカウント結果に基づいて判断し、該判断に基づいて制御部24に出力指令を出す構成であると、制御部24と操作・表示部４との間の送受信に要する時間だけ出力が遅れることになってしまう。
【００５１】
これに対し、記憶容量に基づく自動出力処理では、画像駒数のカウント結果を用いないから、制御部24と操作・表示部４との間での通信の必要がなくなり、記憶部22を制御する制御部24が記憶容量に基づいて独自に判断して出力指令を出す構成とすることができ、前記通信に要する時間分だけ出力タイミングを早めることができるものである。
【図面の簡単な説明】
【図１】医療用画像診断装置，プリント制御装置，レーザーイメージャからなる実施の形態のシステム構成図。
【図２】レーザーイメージャの概略構成を示す模式図。
【図３】操作・表示部の外観を示す模式図。
【図４】情報表示・操作モニターの通常画面を示す図。
【図５】情報表示・操作モニターの出力フォーマット設定画面を示す図。
【図６】出力フォーマットの例を示す図。
【図７】プリント制御装置からの複数の画像データと出力フォーマット指定信号と位置対応信号との出力制御を示すフローチャート。
【図８】可視表示媒体上の画像駒の配列を示す図。
【符号の説明】
１    医療用画像診断装置
２    処理部
３    レーザーイメージャ
４    操作・表示部
10    プリント制御装置
21    入力部
22    記憶部
23    出力部
24    制御部
【図１】
0003882243.tif 000002
【図２】
0003882243.tif 000003
【図３】
0003882243.tif 000004
【図４】
0003882243.tif 000005
【図５】
0003882243.tif 000006
【図６】
0003882243.tif 000007
【図７】
0003882243.tif 000008
【図８】
0003882243.tif 000009